(57)【要約】【課題】画像読取装置を備えた画像形成装置において、簡素かつ安価な構成で除電ブラシを装置回路内のグランドラインに電気的に接続すると共に、プラテンローラを画像読取センサに適正な力で押圧する。【解決手段】蓋部材７の内側に第２板ばね部材２９を、その第１ばね端部２９ｂが除電ブラシ２８と接触される状態で取り付ける。蓋部材７が閉じられたとき、第２板ばね部材２９の第２ばね端部２９ｃがプラテンローラ２５の回転軸２５ａと当接し、回転軸２５ａを密着型イメージセンサ２３の方向に付勢する。また、除電ブラシ２８は、導通性を有する第２板ばね部材２９を介して金属製の回転軸２５ａと導通され、さらには、金属性のフレーム６を介して回路基板４１のグランドラインと導通される。【選択図】図４
2008156108.tif 000002
【特許請求の範囲】
【請求項１】
装填された原稿を保持する原稿給紙トレイと、この原稿給紙トレイに保持されている原稿を搬送する原稿搬送機構と、この原稿搬送機構によって搬送された原稿の画像を読み取って電気信号に変換する画像読取手段とを有する画像読取部と、
装填された記録紙を保持する記録紙給紙トレイと、この記録紙給紙トレイに保持されている原稿を搬送する記録紙搬送機構と、この記録紙搬送機構によって搬送された記録紙に画像を形成する画像形成手段と、この画像形成手段によって画像が形成された記録紙を保持する記録紙排紙トレイとを有する画像形成部と、
前記原稿搬送機構、画像読取手段、記録紙搬送機構、及び画像形成手段を制御するための制御回路を構成する回路基板と、
上記各部を支持する金属製のフレームと、
前記画像読取部の上部を被う開閉可能な蓋部材とを備え、
前記原稿搬送機構は、前記原稿給紙トレイに保持されている原稿を前記画像読取部の内部に送出するピックローラと、金属製の回転軸を含み、前記ピックローラが送出した原稿を前記画像読取手段に押圧しながら排出方向に搬送するプラテンローラと、このプラテンローラの回転軸の両端近傍を回転自在かつ該プラテンローラが原稿を押圧する方向に移動自在に支持する樹脂製の軸受け部材と、導電性を有し前記フレームに取り付けられ、前記プラテンローラの回転軸の端面と当接し、該回転軸をその軸方向に付勢する第１板ばね部材と、前記蓋部材に取り付けられ、前記プラテンローラによって搬送された原稿に帯電した静電気を除去する除電ブラシとを有する画像形成装置において、
前記原稿搬送機構は、前記除電ブラシと接触されている状態で前記蓋部材の内側に取り付けられ、該蓋部材が閉じられたとき前記プラテンローラの回転軸と当接し、該回転軸を前記画像読取手段の方向に付勢する第２板ばね部材をさらに有し、
前記第２板ばね部材は、矩形状の金属板を板金加工することによって成り、前記蓋部材と結合される結合部と、前記除電ブラシと接触される第１ばね端部と、前記プラテンローラの回転軸と当接される第２ばね端部とを有し、
前記第１ばね端部と前記第２ばね端部とは、前記矩形状の金属板の前記結合部とは反対側において、該金属板の短辺に平行に互いに隣接して形成され、かつ該金属板の長辺に平行な溝によって分離され、
前記第２板ばね部材は、前記結合部から前記第１ばね端部及び第２ばね端部に亘って前記プラテンローラの回転軸と平行に複数回折り曲げられ、
原稿に帯電した静電気が前記除電ブラシ、第２板ばね部材、プラテンローラの回転軸、第１板ばね部材及びフレームを介して前記回路基板に形成されているグランドラインと導通されると共に、前記蓋部材が閉じられているとき、前記プラテンローラの回転軸が前記第２板ばね部材によって前記画像読取手段の方向に付勢されて、前記プラテンローラが該画像読取手段の方向に押圧されることを特徴とする画像形成装置。
【請求項２】
原稿を搬送する原稿搬送機構と、この原稿搬送機構によって搬送された原稿の画像を読み取って電気信号に変換する画像読取手段と、前記原稿搬送機構、画像読取手段を制御するための制御回路を構成する回路基板と、上記各部を支持する金属製のフレームとを備え、
前記原稿搬送機構は、前記フレームと導通される金属製の回転軸を含み、原稿を前記画像読取手段に押圧しながら排出方向に搬送するプラテンローラと、前記プラテンローラによって搬送された原稿に帯電した静電気を除去するための除電ブラシとを有する画像形成装置において、
前記原稿搬送機構は、導通性を有し、前記除電ブラシ及び前記プラテンローラの回転軸と当接すると共に、該回転軸を前記画像読取手段の方向に付勢するばね部材をさらに有することを特徴とする画像読取装置。
【請求項３】
前記ばね部材は、矩形状の金属板を板金加工することによって成り、前記除電ブラシと接触導通される第１ばね端部と、前記プラテンローラの回転軸と当接される第２ばね端部とを有し、
前記第１ばね端部と前記第２ばね端部とは、該矩形状の金属板において該金属板の短辺に平行に互いに隣接して並設され、該金属板の長辺に平行な溝によって分離され、
前記ばね部材は、前記結合部から前記第１ばね端部及び第２ばね端部に亘って前記プラテンローラの回転軸と平行に複数回折り曲げられていることを特徴とする請求項２に記載の画像読取装置。
【発明の詳細な説明】
【技術分野】
【０００１】
本発明は、原稿の画像を読み取る画像読取装置、及び画像読取装置を備え、読み取った画像を記録紙に形成する機能を有する画像形成装置に関するものである。
【背景技術】
【０００２】
従来から、画像形成装置等の用紙搬送機構には、搬送時の摩擦に伴って用紙の表面に帯電した静電気を除去するための除電ブラシ等の除電部材が組み込まれている。除電部材は装置の金属製のフレームと電気的に接続されており、用紙の表面に帯電した電荷は、除電部材、フレームを介して装置の制御回路内のグランドラインに移動し、用紙が除電される。
【０００３】
特許文献１には、導電性板ばね部材によって除電ブラシと金属製のフレームとを電気的に接続する用紙搬送機構を備えた画像読取装置が示されている。また、特許文献２には、除電板を介して除電ブラシを接地する用紙搬送機構を備えた画像形成装置が示されている。また、特許文献３には、排紙ローラの軸に除電ブラシを取付け、軸を介して除電ブラシを接地する用紙搬送機構を備えた画像形成装置が示されている。また、特許文献４には、搬送ローラに帯電した電荷を除去するアース構造が組み込まれた用紙搬送機構を備えた画像形成装置が示されている。また、特許文献５には、用紙搬送プレートの上に貼り付けられた除電シートによって用紙の除電を行う用紙搬送機構を備えた画像形成装置が示されている。
【０００４】
ところで、原稿を一枚ずつ自動的に搬送する原稿搬送機構を備えた画像読取装置においては、原稿を密着型イメージセンサ等の画像読取センサに密着させつつ搬送するためのプラテンローラが設けられている。このような画像読取装置にあっては、プラテンローラの周辺において紙詰まりが発生した際に、詰まった原稿を除去するために、画像読取装置の上部カバーが開閉可能となるように構成されている。また、プラテンローラと画像読取部との間に詰まった原稿を除去し易くするために、プラテンローラの回転軸は原稿を押圧する方向（原稿の搬送方向に垂直な方向）に移動自在に軸支されている。さらには、プラテンローラは、原稿搬送時に原稿に密着されている必要があるため、コイルばね等の弾性部材によって密着型イメージセンサの方向に付勢されている。
【特許文献１】特開２００３−４８６４１号公報
【特許文献２】特許第３３２３５８２号公報
【特許文献３】特開２０００−３８２４６号公報
【特許文献４】特許第３０９０２５６号公報
【特許文献５】特開平６−５６３０１号公報
【発明の開示】
【発明が解決しようとする課題】
【０００５】
しかしながら、上述したプラテンローラを密着型イメージセンサの方向に付勢するための弾性部材を有する画像読取装置において、上記特許文献１乃至特許文献５に示された技術を適用して静電気を除去するように構成しようとした場合には、プラテンローラの周辺の構成が複雑となり、装置の小型化を図ることができないばかりか、コストアップを将来する。
【０００６】
本発明は、上記課題を解決するためになされたものであり、簡素かつ安価な構成で、除電ブラシを装置回路内のグランドラインに電気的に接続して原稿に帯電した静電気を除去できるようにすると共に、プラテンローラを画像読取センサに適正な力で押圧できるようにした画像形成装置を提供することを目的とする。
【課題を解決するための手段】
【０００７】
上記目的を達成するために請求項１の発明は、
装填された原稿を保持する原稿給紙トレイと、この原稿給紙トレイに保持されている原稿を搬送する原稿搬送機構と、この原稿搬送機構によって搬送された原稿の画像を読み取って電気信号に変換する画像読取手段とを有する画像読取部と、
装填された記録紙を保持する記録紙給紙トレイと、この記録紙給紙トレイに保持されている原稿を搬送する記録紙搬送機構と、この記録紙搬送機構によって搬送された記録紙に画像を形成する画像形成手段と、この画像形成手段によって画像が形成された記録紙を保持する記録紙排紙トレイとを有する画像形成部と、
前記原稿搬送機構、画像読取手段、記録紙搬送機構、及び画像形成手段を制御するための制御回路を構成する回路基板と、
上記各部を支持する金属製のフレームと、
前記画像読取部の上部を被う開閉可能な蓋部材とを備え、
前記原稿搬送機構は、前記原稿給紙トレイに保持されている原稿を前記画像読取部の内部に送出するピックローラと、金属製の回転軸を含み、前記ピックローラが送出した原稿を前記画像読取手段に押圧しながら排出方向に搬送するプラテンローラと、このプラテンローラの回転軸の両端近傍を回転自在かつ該プラテンローラが原稿を押圧する方向に移動自在に支持する樹脂製の軸受け部材と、導電性を有し前記フレームに取り付けられ、前記プラテンローラの回転軸の端面と当接し、該回転軸をその軸方向に付勢する第１板ばね部材と、前記蓋部材に取り付けられ、前記プラテンローラによって搬送された原稿に帯電した静電気を除去する除電ブラシとを有する画像形成装置において、
前記原稿搬送機構は、前記除電ブラシと接触されている状態で前記蓋部材の内側に取り付けられ、該蓋部材が閉じられたとき前記プラテンローラの回転軸と当接し、該回転軸を前記画像読取手段の方向に付勢する第２板ばね部材をさらに有し、
前記第２板ばね部材は、矩形状の金属板を板金加工することによって成り、前記蓋部材と結合される結合部と、前記除電ブラシと接触される第１ばね端部と、前記プラテンローラの回転軸と当接される第２ばね端部とを有し、
前記第１ばね端部と前記第２ばね端部とは、前記矩形状の金属板の前記結合部とは反対側において、該金属板の短辺に平行に互いに隣接して形成され、かつ該金属板の長辺に平行な溝によって分離され、
前記第２板ばね部材は、前記結合部から前記第１ばね端部及び第２ばね端部に亘って前記プラテンローラの回転軸と平行に複数回折り曲げられ、
原稿に帯電した静電気が前記除電ブラシ、第２板ばね部材、プラテンローラの回転軸、第１板ばね部材及びフレームを介して前記回路基板に形成されているグランドラインと導通されると共に、前記蓋部材が閉じられているとき、前記プラテンローラの回転軸が前記第２板ばね部材によって前記画像読取手段の方向に付勢されて、前記プラテンローラが該画像読取手段の方向に押圧されるものである。
【０００８】
請求項２の発明は、
原稿を搬送する原稿搬送機構と、この原稿搬送機構によって搬送された原稿の画像を読み取って電気信号に変換する画像読取手段と、前記原稿搬送機構、画像読取手段を制御するための制御回路を構成する回路基板と、上記各部を支持する金属製のフレームとを備え、
前記原稿搬送機構は、前記フレームと導通される金属製の回転軸を含み、原稿を前記画像読取手段に押圧しながら排出方向に搬送するプラテンローラと、前記プラテンローラによって搬送された原稿に帯電した静電気を除去するための除電ブラシとを有する画像形成装置において、
前記原稿搬送機構は、導通性を有し、前記除電ブラシ及び前記プラテンローラの回転軸と当接すると共に、該回転軸を前記画像読取手段の方向に付勢するばね部材をさらに有するものである。
【０００９】
請求項３の発明は、請求項２に記載の画像読取装置において、
前記ばね部材は、矩形状の金属板を板金加工することによって成り、前記除電ブラシと接触導通される第１ばね端部と、前記プラテンローラの回転軸と当接される第２ばね端部とを有し、
前記第１ばね端部と前記第２ばね端部とは、該矩形状の金属板において該金属板の短辺に平行に互いに隣接して並設され、該金属板の長辺に平行な溝によって分離され、
前記ばね部材は、前記結合部から前記第１ばね端部及び第２ばね端部に亘って前記プラテンローラの回転軸と平行に複数回折り曲げられているものである。
【発明の効果】
【００１０】
請求項１の発明によれば、除電ブラシが、第２板ばね部材、プラテンローラの回転軸、第１板ばね部材及びフレームを介して回路基板に形成されているグランドラインと導通されるので、簡素かつ安価な構成で、除電ブラシを装置回路内のグランドラインに電気的に接続することができ、原稿に帯電した静電気を除去できる。また、蓋部材が閉じられているとき、プラテンローラの回転軸が第２板ばね部材によって画像読取手段の方向に付勢されるので、コストアップを伴うことなく、プラテンローラを画像読取手段の方向に適正な力で押圧でき、画像の読取と原稿の搬送を正確に行える。また、原稿の紙詰まりが発生したときには、蓋部材を開けることにより、第２板ばね部材が蓋部材と共に移動し、プラテンローラが画像読取手段とは逆の方向に自由に移動可能となる。これにより、プラテンローラの近傍に詰まった原稿を容易に取り除くことができる。また、第２板ばね部材が矩形状の金属板によって成り、かつその第１ばね端部と第２ばね端部とが、金属板の短辺に平行に互いに隣接して形成されているので、金属板の原反から多数の第２板ばね部材を形成することができ、画像形成装置のさらなるコストダウンを図ることが可能となる。また、第２板ばね部材が、結合部から第１ばね端部及び第２ばね端部に亘ってプラテンローラの回転軸と平行に複数回折り曲げられているので、第１ばね端部と除電ブラシ及び第２ばね端部とプラテンローラの回転軸との接触面積を大きくすることができ、その導通を確実なものとすることができる。
【００１１】
請求項２の発明によれば、除電ブラシが、ばね部材、プラテンローラの回転軸及びフレームを介して回路基板に形成されているグランドラインと導通されるので、簡素かつ安価な構成で、除電ブラシを装置回路内のグランドラインに電気的に接続することができ、原稿に帯電した静電気を除去できる。また、蓋部材が閉じられているとき、プラテンローラの回転軸が第２板ばね部材によって画像読取手段の方向に付勢されるので、コストアップを伴うことなく、プラテンローラを画像読取手段の方向に適正な力で押圧でき、画像の読取と原稿の搬送を正確に行える。
【００１２】
請求項３の発明によれば、ばね部材が、矩形状の金属板を板金加工することによって成り、かつその第１ばね端部と第２ばね端部とが、金属板の短辺に平行に互いに隣接して形成されているので、金属板の原反から多数のばね部材を形成することができ、装置のさらなるコストダウンを図ることが可能となる。また、ばね部材が、結合部から第１ばね端部及び第２ばね端部に亘ってプラテンローラの回転軸と平行に複数回折り曲げられているので、第１ばね端部と除電ブラシ及び第２ばね端部とプラテンローラの回転軸との接触面積を大きくすることができ、その導通を確実なものとすることができる。
【発明を実施するための最良の形態】
【００１３】
本発明を実施するための一実施形態による画像形成装置について図面を参照して説明する。図１乃至図３に示すように、画像形成装置１は、原稿の画像を読み取り電気信号に変換する画像読取部２と、画像読取部２が読み取った画像の電気信号又は外部に接続されている機器等から入力された電気信号に基づいて記録紙に画像を形成する画像形成部３と、画像読取部２及び画像形成部３を制御する制御部４と、ユーザが制御部４に各種の指令を入力するための操作部５と、上記各部を支持する金属製のフレーム６と、画像読取部２の上部を被う開閉可能な蓋部材７とを備えている。
【００１４】
画像読取部２は、装填された原稿を保持する原稿給紙トレイ２１と、原稿給紙トレイ２１に保持されている原稿を搬送する原稿搬送機構２２と、原稿搬送機構２２によって搬送された原稿の画像を読み取って電気信号に変換する密着型イメージセンサ（画像読取手段）２３を有している。原稿搬送機構２２は、原稿給紙トレイ２１に保持されている原稿を画像読取部２の内部に送出するピックローラ２４と、ピックローラ２４が送出した原稿を密着型イメージセンサ２３に押圧しながら排出方向に搬送するプラテンローラ２５を有している。プラテンローラ２５は、金属製の回転軸２５ａに支持され、回転軸２５ａと一体的に回転しながら、原稿を密着型イメージセンサ２３の画像読取面２３ａに押圧する。密着型イメージセンサ２３によって画像が読み取られた原稿は、原稿排出部１１から排出される。
【００１５】
画像形成部３は、ユーザによって装填された記録紙を保持する記録紙給紙トレイ３１と、記録紙給紙トレイ３１に保持されている原稿を搬送する記録紙搬送機構３２と、記録紙搬送機構３２によって搬送された記録紙に画像を形成するプリント部（画像形成手段）３３と、プリント部３３によって画像が形成された記録紙を保持する記録紙排紙トレイ３４等によって構成されている。プリント部３３の例としては、インクジェット方式のプリントエンジンや、レーザビーム方式のプリントエンジンが挙げられる。
【００１６】
制御部４は、回路基板４１（図３参照）に実装されている電子部品によって構成される制御回路によって実現されている。なお、回路基板４１は、金属製のねじ１０を介してフレーム６に取付けられている。回路基板４１においてねじ１０との当接部分には、グランドラインに接続されるランドパターン４１ａが形成されており、フレーム６は、ねじ１０、ランドパターン４１ａを介して回路基板４１のグランドラインに接続されている。
【００１７】
操作部５は、ユーザによって操作される操作ボタン及び操作ボタンの動作に伴って、オン／オフされるスイッチを有し、画像形成装置１の動作状態や画像形成装置１が形成する画像を表示するためのＬＣＤ（Liquid Crystal Display）と共に、蓋部材７の上面に設けられている。
【００１８】
図２は、原稿搬送機構２２のうち、特にプラテンローラ２５の周辺の構成を示している。また、図３はプラテンローラ２５の一端部及び回路基板４１の周辺の構成を、図４は他端部の周辺の構成をそれぞれ示している。図２において、（ａ）は、蓋部材７を閉じた状態、（ｂ）は蓋部材７を開いた状態を示している。蓋部材７は、通常閉じられた状態にあり、プラテンローラ２５の周辺に紙詰まりが発生した場合に、詰まった原稿を取り除く際に開かれる。
【００１９】
原稿搬送機構２２は、上記ピックローラ２４、プラテンローラ２５の他、プラテンローラ２５の回転軸２５ａの両端近傍を支持する樹脂製の軸受け部材２６と、プラテンローラ２５の回転軸２５ａの端面（第１軸端部２５ｂの側）と当接し、回転軸２５ａをその軸方向（第１軸端部２５ｂから第２軸端部２５ｃへの方向）に付勢する第１板ばね部材２７（図３参照）と、プラテンローラ２５によって搬送された原稿に帯電した静電気を除去するための除電ブラシ２８と、蓋部材７が閉じられたときプラテンローラ２５の回転軸２５ａの第２軸端部側と当接し、回転軸２５ａを密着型イメージセンサ２３の方向（矢印Ｙ方向）に付勢する第２板ばね部材２９をさらに有している。プラテンローラ２５の回転軸２５ａ、第１板ばね部材２７、除電ブラシ２８の基体部２８ａ、第２板ばね部材２９は、導電性を有する金属材料によって形成されている。なお、本実施形態では、第２板ばね部材２９を回転軸２５ａの第２軸端部２５ｃのみに設けているが、第１軸端部２５ｂのみに設けた構成であってもよく、また、第１軸端部２５ｂ及び第２軸端部２５ｃの両方に設けた構成であってもよい。
【００２０】
軸受け部材２６は、プラテンローラ２５の回転軸２５ａを回転自在に支持する。原稿の厚みに応じて、プラテンローラ２５と密着型イメージセンサ２３の画像読取面との間隔を自動的に調整できるように、軸受け部材２６は、プラテンローラ２５の回転軸２５ａを上記矢印Ｙ方向及びその逆方向に移動自在に支持し得る形状に形成され、回転軸２５ａの上部には、第２ばね部材２９が設けられている。
【００２１】
第１板ばね部材２７は、ねじ８によってフレーム６に取付けられ、プラテンローラ２５の回転軸２５ａの第１軸端部２５ｂを第２軸端部２５ｃの方向に付勢する。これにより、プラテンローラ２５の軸方向のがたをなくすことができ、原稿の搬送を正確に行えるようになる。
【００２２】
除電ブラシ２８は、蓋部材７の内側に取付けられており、蓋部材７が閉じられた状態で、プラテンローラ２５の下流側において、プラテンローラ２５に対して平行に並ぶように配設されている。除電ブラシ２８自体の構成は、公知のもの（例えば、上記特許文献３の段落（００３５）において開示されたもの）と同様である。
【００２３】
第２板ばね部材２９は、図５に示す矩形状の金属板３０を板金加工することにより形成されている。第２板ばね部材２９は、蓋部材７と結合される結合部２９ａと、除電ブラシ２８の基体部２８ａと接触される第１ばね端部２９ｂと、プラテンローラ２５の回転軸２５ａと当接される第２ばね端部２９ｃとを有しており、第１ばね端部２９ｂが除電ブラシ２８の基体部２８ａと接触するように、蓋部材７の内面にねじ９によって取付けられている。一方、第２ばね端部２９ｃは、蓋部材７が閉じられた状態でプラテンローラ２５の回転軸２５ａと当接される。蓋部材７が開かれると第２ばね端部２９ｃが蓋部材７と共に上方に移動するので（図２（ｂ）参照）、プラテンローラ２５を、図４中矢印Ｙ方向とは逆の上方向に自由に移動させることができ、これによりプラテンローラ２５の周辺に詰まった原稿を容易に除去できるようになる。
【００２４】
第１ばね端部２９ｂ及び第２ばね端部２９ｃは、金属板３０の結合部２９ａとは反対側において、金属板３０の短辺に対して平行に互いに隣接して形成されている。金属板３０には、第１ばね端部２９ｂと第２ばね端部２９ｃとを分離する溝３０ａが、長辺に対して平行に形成されている。第２板ばね部材２９は、結合部２９ａから第１ばね端部２９ｂ及び第２ばね端部２９ｃに亘ってプラテンローラ２５の回転軸２５ａと平行な折曲げ線３０ｂ、３０ｃ、３０ｄ、３０ｅに沿って複数回折り曲げられることにより形成される。
【００２５】
蓋部材７が閉じられた状態では、第２ばね端部２９ｃとプラテンローラ２５の回転軸２５ａとが接触しているので、原稿の搬送に伴い原稿に帯電した静電気が除電ブラシ２８、第２板ばね部材２９、プラテンローラ２５の回転軸２５ａ、第１板ばね部材２７、フレーム６及びねじ１０を介して回路基板４１に形成されているグランドラインと導通されると共に、蓋部材７が閉じられているとき、プラテンローラ２５の回転軸２５ａが第２板ばね部材２９によって矢印Ｙ方向に付勢されて、プラテンローラ２５が密着型イメージセンサ２３に押圧される。
【００２６】
以上のような構成を有する本実施形態の画像形成装置１によれば、除電ブラシ２８が、第２板ばね部材２９、プラテンローラ２５の回転軸２５ａ、第１板ばね部材２７及びフレーム６を介して回路基板４１に形成されているグランドラインと導通されるので、簡素かつ安価な構成で、除電ブラシ２８を制御回路内のグランドラインに電気的に接続することができ、原稿に帯電した静電気を除去できる。また、蓋部材７が閉じられているとき、プラテンローラ２５の回転軸２５ａが第２板ばね部材２９によって密着型イメージセンサ２３の方向すなわち矢印Ｙ方向に付勢されるので、コストアップを伴うことなく、プラテンローラ２５を密着型イメージセンサ２３に適正な力で押圧でき、画像の読取と原稿の搬送を正確に行える。また、原稿の紙詰まりが発生したときには、蓋部材７を開けることにより、第２板ばね部材２９が蓋部材７と共に移動し、プラテンローラ２５が矢印Ｙ方向とは逆の方向に自由に移動可能となる。これにより、プラテンローラ２５の近傍に詰まった原稿を容易に取り除くことができる。また、第２板ばね部材２９が矩形状の金属板３０によって成り、かつその第１ばね端部２９ｂと第２ばね端部２９ｃとが、金属板３０の短辺に平行に互いに隣接して形成されているので、金属板の原反から多数の第２板ばね部材２９を形成することができ、画像形成装置のさらなるコストダウンを図ることが可能となる。また、第２板ばね部材２９が、結合部２９ａから第１ばね端部２９ｂ及び第２ばね端部２９ｃに亘ってプラテンローラ２５の回転軸２５ａと平行な折曲げ線３０ｂ、３０ｃ、３０ｄ、３０ｅに沿って複数回折り曲げられているので、第１ばね端部２９ｂと除電ブラシ２８及び第２ばね端部２９ｃとプラテンローラ２５の回転軸２５ａとの接触面積を大きくすることができ、その導通を確実なものとすることができる。
【００２７】
なお、本発明は上記実施形態の構成に限られることなく、少なくとも第２ばね部材２９によって除電ブラシ２８とプラテンローラ２５の回転軸２５ａを導通させ、原稿に帯電した静電気を除電ブラシ２８、第２ばね部材２９、回転軸２５ａ、金属性のフレーム６を経て回路基板４１のグランドラインに移動させるように構成されていればよい。また、本発明は種々の変形が可能であり、例えば、画像読取機能と画像形成機能を備えた画像形成装置に限られることなく、画像読取機能のみを備えた画像読取装置に適用してもよい。
【図面の簡単な説明】
【００２８】
【図１】本発明の一実施形態による画像形成装置の概略構成を示す図。
【図２】（ａ）は蓋部材を閉じた状態におけるプラテンローラ周辺の構成を示す側断面図、（ｂ）は蓋部材を開いた状態における同側断面図。
【図３】プラテンローラの第１軸端部周辺の構成を示す平面図。
【図４】プラテンローラの第２軸端部周辺の構成を示す斜視図。
【図５】第２ばね部材を形成するための金属板の形状を示す平面図。
【符号の説明】
【００２９】
１    画像形成装置
２    画像読取部
３    画像形成部
６    フレーム
７    蓋部材
２２    原稿搬送機構
２３    密着型イメージセンサ（画像読取手段）
２５    プラテンローラ
２５ａ    回転軸
２６    軸受け部材
２７    第１板ばね部材
２８    除電ブラシ
２９    第２板ばね部材
２９ｂ    第１ばね端部
２９ｃ    第２ばね端部
４１    回路基板
【図１】
2008156108.tif 000003
【図２】
2008156108.tif 000004
【図３】
2008156108.tif 000005
【図４】
2008156108.tif 000006
【図５】
2008156108.tif 000007